(57)【要約】【課題】ハゼなどの支持部材を挟持する挟持片を有する一対の部品が、これらが向き合う面に沿って相対的に移動するのを阻止することができる取付器具を得ること。【解決手段】被取付部材Ｓを支持部材Ｒに取り付けるための取付器具１００であって、第１の部品１１０と、第２の部品１２０と、第１の部品１１０と第２の部品１２０とを締結する締結手段１３０とを備え、第１の部品１１０および第２の部品１２０は、締結手段１３０による締結により、第１の部品１１０および第２の部品１２０が支持部材Ｒを挟持するよう構成されており、取付器具１００は、第１の部品１１０と第２の部品１２０とが対向する対向面に沿った第１の方向における第１の部品１１０と第２の部品１２０との相対的な移動を規制する相対移動規制部１５０を備えた。【選択図】図２
2019007310.tif 000002
【特許請求の範囲】
【請求項１】
被取付部材を支持部材に取り付けるための取付器具であって、
第１の部品と、
第２の部品と、
該第１の部品と該第２の部品とを締結する締結手段と
を備え、
該第１の部品および該第２の部品は、該締結手段による締結により、該第１の部品および該第２の部品が該支持部材を挟持するよう構成されており、
該取付器具は、該第１の部品と該第２の部品とが対向する対向面に沿った第１の方向における該第１の部品と該第２の部品との相対的な移動を規制する相対移動規制部を備えた、取付器具。
【請求項２】
前記相対移動規制部は、前記対向面に沿った第２の方向における該第１の部品と該第２の部品との相対的な移動を規制するように構成されており、該第２の方向は、前記第１の方向とは異なる、請求項１に記載の取付器具。
【請求項３】
前記相対移動規制部は、
前記第１の部品に形成された第１係合部および第２係合部と、
前記第２の部品に形成された第３係合部および第４係合部と
を有し、
該相対移動規制部は、該第１係合部と該第３係合部との係合により前記第１の方向における相対移動を規制し、該第２係合部と該第４係合部との係合により前記第２の方向における相対移動を規制するように構成されている、請求項２に記載の取付器具。
【請求項４】
前記第１係合部は、前記第１の部品に形成された開口部であり、
前記第３係合部は、該開口部に挿入されるよう前記第２の部品に形成された係合片である、請求項３に記載の取付器具。
【請求項５】
前記第１係合部は、前記第１の部品に形成された切欠き部であり、
前記第３係合部は、該切欠き部に挿入されるよう前記第２の部品に形成された係合片である、請求項３に記載の取付器具。
【請求項６】
前記切欠き部は、該切欠き部に挿入された前記係合片が、前記第１の部品と前記第２の部品とが対向する第３の方向へ移動して該切欠き部から出るのを規制する突起部を有する、請求項５に記載の取付器具。
【請求項７】
前記第２の係合部は、前記第１の部品に形成された当接片であり、
前記第４の係合部は、該当接片に当接するように前記第２の部品に形成された係合突起である、請求項３から請求項６のいずれか一項に記載の取付器具。
【請求項８】
前記第１の部品および前記第２の部品は、
前記第２の係合部と前記第４の係合部との係合および係合解除が、該第１の部品に対する該第２の部品の姿勢の変更により行われるように構成されている、請求項７に記載の取付器具。
【請求項９】
前記第２の係合部および前記第４の係合部のうちの少なくとも一方が弾性変形可能であり、
前記第１の部品および前記第２の部品は、該第２の係合部と該第４の係合部の係合および係合解除が、該第２の係合部と該第４の係合部との当接による弾性変形により行われるように構成されている、請求項７に記載の取付器具。
【請求項１０】
前記第１の方向は、前記支持部材のうちの前記第１の部品および前記第２の部品により挟持される部分が延びる方向であり、
前記第２の方向は、該第１の方向に垂直な方向である、請求項２から請求項９のいずれか一項に記載の取付器具。
【発明の詳細な説明】
【技術分野】
【０００１】
本発明は、被取付部材を支持部材に取り付けるための取付器具に関するものである。
【背景技術】
【０００２】
従来から、太陽電池モジュールを搭載したソーラーパネルをハゼ式折板屋根に取り付けるための取付器具として特許文献１に開示のものがある。
【０００３】
この特許文献１に開示の取付器具は、ハゼ式折板屋根のハゼを挟持する挟持片を有する一対の部品を含み、これらの挟持片でハゼを掴むことにより取付器具がハゼ式折板屋根に固定され、さらに、一対の部品の少なくとも一方には、ソーラーパネルが取り付けられるようになっている。
【先行技術文献】
【特許文献】
【０００４】
【特許文献１】特開２０１４−２３４５８７号公報
【発明の概要】
【発明が解決しようとする課題】
【０００５】
ところで、この種の取付器具では、一対の部品は、ハゼなどの支持部材を挟んで対向するように配置され、挟持片が支持部材を挟持するようにボルトおよびナットなどの締結手段で締結されるようになっている。そのため、これらの部品が向き合う面に沿った方向の力が一方の部品にかかると、一対の部品の相対的な位置ズレにより締結手段の変形や緩みが生じ、挟持片が折板屋根のハゼを挟持する力が低下するおそれがある。
【０００６】
本発明は、ハゼなどの支持部材を挟持する挟持片を有する一対の部品が、これらが向き合う面に沿って相対的に移動するのを規制することができる取付器具を得ることを目的とする。
【課題を解決するための手段】
【０００７】
本発明に係る取付器具は、被取付部材を支持部材に取り付けるための取付器具であって、第１の部品と、第２の部品と、該第１の部品と該第２の部品とを締結する締結手段とを備え、該第１の部品および該第２の部品は、該締結手段による締結により、該第１の部品および該第２の部品が該支持部材を挟持するよう構成されており、該取付器具は、該第１の部品と該第２の部品とが対向する対向面に沿った第１の方向における該第１の部品と該第２の部品との相対的な移動を規制する相対移動規制部を備え、そのことにより上記目的が達成される。
【０００８】
本発明においては、前記相対移動規制部は、前記対向面に沿った第２の方向における該第１の部品と該第２の部品との相対的な移動を規制するように構成されており、該第２の方向は、前記第１の方向とは異なることが好ましい。
【０００９】
本発明においては、前記相対移動規制部は、前記第１の部品に形成された第１係合部および第２係合部と、前記第２の部品に形成された第３係合部および第４係合部とを有し、該相対移動規制部は、該第１係合部と該第３係合部との係合により前記第１の方向における相対移動を規制し、該第２係合部と該第４係合部との係合により前記第２の方向における相対移動を規制するように構成されていることが好ましい。
【００１０】
本発明においては、前記第１係合部は、前記第１の部品に形成された開口部であり、前記第３係合部は、該開口部に挿入されるよう前記第２の部品に形成された係合片であることが好ましい。
【００１１】
本発明においては、前記第１係合部は、前記第１の部品に形成された切欠き部であり、前記第３係合部は、該切欠き部に挿入されるよう前記第２の部品に形成された係合片であり、そのことにより上記目的が達成される。
【００１２】
本発明においては、前記切欠き部は、該切欠き部に挿入された前記係合片が、前記第１の部品と前記第２の部品とが対向する第３の方向へ移動して該切欠き部から出るのを規制する突起部を有することが好ましい。
【００１３】
本発明においては、前記第２の係合部は、前記第１の部品に形成された当接片であり、前記第４の係合部は、該当接片に当接するように前記第２の部品に形成された係合突起であることが好ましい。
【００１４】
本発明においては、前記第１の部品および前記第２の部品は、前記第２の係合部と前記第４の係合部との係合および係合解除が、該第１の部品に対する該第２の部品の姿勢の変更により行われるように構成されていることが好ましい。
【００１５】
本発明においては、前記第２の係合部および前記第４の係合部のうちの少なくとも一方が弾性変形可能であり、前記第１の部品および前記第２の部品は、該第２の係合部と該第４の係合部の係合および係合解除が、該第２の係合部と該第４の係合部との当接による弾性変形により行われるように構成されていることが好ましい。
【００１６】
本発明においては、前記第１の方向は、前記支持部材のうちの前記第１の部品および前記第２の部品により挟持される部分が延びる方向であり、前記第２の方向は、該第１の方向に垂直な方向であることが好ましい。
【発明の効果】
【００１７】
本発明によれば、ハゼなどの支持部材を挟持する挟持片を有する一対の部品が、これらが向き合う面に沿って相対的に移動するのを規制することができる取付器具を実現することができる。
【図面の簡単な説明】
【００１８】
【図１】図１は、本発明の実施形態１による取付器具１００を説明するための図であり、図１（ａ）は、取付器具１００の外観を示す斜視図、図１（ｂ）は、取付器具１００がハゼ式折板屋根Ｒに取り付けられた状態を示す斜視図、図１（ｃ）は、図１（ｂ）に示される取付器具１００およびハゼ式折板屋根ＲをＡ方向から見た構造を示す平面図である。
【図２】図２は、図１に示す取付器具１００の要部を説明するための図であり、図２（ａ）は、図１（ａ）に示す取付器具１００を分解して示す斜視図、図２（ｂ）は、図１（ｃ）のＣ２部分に示されるハゼ式折板屋根の説明図、図２（ｃ）は、図１（ｃ）のＣ２部分の拡大図である。
【図３】図３は、図１（ａ）に示す取付器具１００の具体的な構成を説明するための図であり、図３（ａ）〜図３（ｅ）はそれぞれ図１（ａ）に示す取付器具１００をＡ方向〜Ｅ方向から見た構造を示す平面図である。
【図３Ａ】図３Ａは、取付器具１００の変形例として第１の係合部が切欠きである取付器具を説明するための図であり、図３Ａ（ａ）は、第１の係合部として切欠きの一例を示し、図３Ａ（ｂ）は、第１の係合部として切欠きの他の例を示す。
【図４】図４は、図２（ａ）に示す取付器具１００の第１の部品１１０の具体的な構造を説明するための図であり、図４（ａ）〜図４（ｅ）はそれぞれ図２（ａ）に示す第１の部品１１０をＡ方向〜Ｅ方向から見た構造を示し、図４（ｆ）、図４（ｇ）はそれぞれ、図４（ａ）のＦ４部分、Ｇ４部分を拡大して示す。
【図５】図５は、図２（ａ）に示す取付器具の第２の部品１２０の具体的な構造を説明するための図であり、図５（ａ）〜図５（ｅ）はそれぞれ図２（ａ）に示す第２の部品１２０をＡ方向〜Ｅ方向から見た構造を示し、図５（ｆ）および図５（ｇ）はそれぞれ、図５（ａ）のＦ５部分およびＧ５部分を拡大して示す。
【図６】図６は、実施形態１の取付器具１００を用いてソーラーパネルＳを折板屋根Ｒに取り付けた状態を説明するための図であり、図６（ａ）は、折板屋根Ｒの全体を示す斜視図、図６（ｂ）は、図６（ａ）におけるＢ６部分を拡大して示す平面図である。
【図７】図７は、図６（ｂ）におけるＡ７部分を拡大して示す斜視図である。
【図８】図８は、図７のＡ８部分の拡大図であり、折板屋根Ｒの中間部分に位置する取付器具１００に押え金具３０が取り付けられた状態を示す。
【図９】図９は、図７のＡ９部分の拡大図であり、折板屋根Ｒの端部に位置する取付器具１００に押え金具４０が取り付けられた状態を示す。
【図１０】図１０は、図８に示す押え金具３０の構造を説明するための図であり、図１０（ａ）は斜視図、図１０（ｂ）〜図１０（ｅ）はそれぞれ、図１０（ａ）に示す押え金具３０をＢ１０方向〜Ｅ１０方向から見た構造を示す。
【図１１】図１１は、取付器具１００に取り付けられる押え金具４０の構造を説明するための図であり、図１１（ａ）は斜視図、図１１（ｂ）〜図１１（ｆ）は、図１１（ａ）に示す押え金具４０をＢ１１方向〜Ｆ１１方向から見た構造を示す。
【図１２】図１２は、取付器具１００における第１の部品１１０と第２の部品１２０との組立て作業を説明するための図であり、図１２（ａ）〜図１２（ｅ）は、第１の部品１１０と第２の部品１２０とを組み立てる手順を示し、図１２（ｆ）は、図１２（ｃ）におけるＥ１２部分を拡大して示す。
【図１３】図１３は、本発明の実施形態２による取付器具２００を説明するための図であり、図１３（ａ）は、取付器具２００の外観を示す斜視図、図１３（ｂ）は、取付器具２００がハゼ式折板屋根Ｒに取り付けられた状態を示す斜視図、図１３（ｃ）は、図１３（ｂ）に示される取付器具２００およびハゼ式折板屋根ＲをＡ方向から見た構造を示す平面図である。
【図１４】図１４は、図１３に示す取付器具２００の要部を説明するための図であり、図１４（ａ）は、図１３（ａ）に示す取付器具２００を分解して示す斜視図、図１４（ｂ）は、図１３（ｃ）のＢ１４部分の拡大図である。
【図１５】図１５は、図１３（ａ）に示す取付器具２００の具体的な構成を説明するための図であり、図１５（ａ）〜図１５（ｅ）はそれぞれ図１３（ａ）に示す取付器具２００をＡ方向〜Ｅ方向から見た構造を示す平面図である。
【図１６】図１６は、図１４（ａ）に示す取付器具２００の第１の部品２１０の具体的な構造を説明するための図であり、図１６（ａ）〜図１６（ｅ）はそれぞれ図１４（ａ）に示す第１の部品２１０をＡ方向〜Ｅ方向から見た構造を示し、図１６（ｆ）、図１６（ｇ）はそれぞれ、図１６（ａ）のＦ１６部分、Ｇ１６部分を拡大して示す。
【図１７】図１７は、図１４（ａ）に示す取付器具２００の第２の部品２２０の具体的な構造を説明するための図であり、図１７（ａ）〜図１７（ｅ）はそれぞれ図１４（ａ）に示す第２の部品１２０をＡ方向〜Ｅ方向から見た構造を示し、図１７（ｆ）および図１７（ｇ）はそれぞれ、図１７（ａ）のＦ１８部分およびＧ１８部分を拡大して示す。
【図１８】図１８は、図１３（ａ）に示す取付器具２００を正常なハゼＨに取り付ける場合を説明するための図であり、図１８（ａ）および図１８（ｂ）はそれぞれ、ハゼＨに対する取付器具２００の取付け前後の状態を示す。
【図１９】図１９は、図１３（ａ）に示す取付器具２００を斜めになったハゼＨに取り付ける場合を説明するための図であり、図１９（ａ）および図１９（ｂ）はそれぞれ、ハゼＨに対する取付器具２００の取付け前後の状態を示す。
【図２０】図２０は、斜めになったハゼＨに取り付けられた取付器具２００の傾倒姿勢がソーラーパネルＳを取付器具２００に固定することで直立姿勢に戻る様子を示す図であり、図２０（ａ）〜図２０（ｃ）は、取付器具２００の傾きの変化を示し、図２０（ｄ）、図２０（ｅ）、図２０（ｆ）はそれぞれ、図２０（ａ）のＤ２０部分の拡大図、図２０（ｂ）のＥ２０部分の拡大図、図２０（ｃ）のＦ２０部分の拡大図である。
【図２１】図２１は、本発明の実施形態３による取付器具３００を説明するための図であり、図２１（ａ）は、取付器具３００の外観を示す斜視図、図２１（ｂ）は、取付器具３００がハゼ式折板屋根Ｒに取り付けられた状態を示す斜視図、図２１（ｃ）は、図２１（ｂ）に示される取付器具３００およびハゼ式折板屋根ＲをＡ方向から見た構造を示す平面図である。
【図２２】図２２は、図２１に示す取付器具３００の要部を説明するための図であり、図２２（ａ）は、図２１（ａ）に示す取付器具３００を分解して示す斜視図、図２２（ｂ）は、図２１（ｃ）のＢ２２部分の拡大図である。
【図２３】図２３は、図２１（ａ）に示す取付器具３００の具体的な構成を説明するための図であり、図２３（ａ）〜図２３（ｅ）はそれぞれ図２２（ａ）に示す取付器具２００をＡ方向〜Ｅ方向から見た構造を示す平面図である。
【図２４】図２４は、図２１（ａ）に示す取付器具３００の第１の部品３１０の具体的な構造を説明するための図であり、図２４（ａ）〜図２４（ｅ）はそれぞれ図２２（ａ）に示す第１の部品３１０をＡ方向〜Ｅ方向から見た構造を示し、図２４（ｆ）、図２４（ｇ）はそれぞれ、図２４（ａ）のＦ２４部分、Ｇ２４部分を拡大して示す。
【図２５】図２５は、実施形態２の取付器具２００の効果を説明するための図であり、図２５（ａ）〜図２５（ｄ）は、取付器具のパネル載置部での甲丸形状の採用の有無と、折板屋根上での取付器具の傾斜の有無との組み合わせの４つの場合を示している。
【発明を実施するための形態】
【００１９】
本発明の取付器具は、被取付部材を支持部材に取り付けるための取付器具である。本発明は、第１の部品と、第２の部品と、第１の部品と第２の部品とを締結する締結手段とを備え、第１の部品および第２の部品は、締結手段による締結により、第１の部品および第２の部品が支持部材を挟持するよう構成されている。
【００２０】
そして、本発明の取付器具は、第１の部品と第２の部品とが対向する対向面に沿った第１の方向における第１の部品と該第２の部品との相対的な移動を規制する相対移動規制部を備えたものである。
【００２１】
このような構成の取付器具では、第１の部品と第２の部品とが対向する対向面に沿った第１の方向の力が第１の部品および第２の部品のいずれかにかかっても、両者の位置ズレが規制されるので、これらの部品の位置ズレによる締結部材の変形や緩みが生ずるのを回避できる。
【００２２】
従って、本発明の取付器具において、被取付部材はどのようなものでもよく、支持部材は一対の部品の締結により一対の部品によって挟持される構造を有するものであれは、どのようなものでもよい。
【００２３】
支持部材は、例えば、建造物の屋根であり、建造物の屋根は、例えば、ハゼ式折板屋根などの金属屋根、コンクリート製の屋根、瓦葺の屋根である。さらに、支持部材は、建物の屋根に限らず、建造物の壁や骨格、さらには、鉄筋コンクリートの基礎であってもよい。支持部材が屋根の場合、一対の部品により挟持される構造は、例えば、屋根の表面から突出する突出部であり、上述したように支持部材がハゼ式折板屋根の場合は、突出部はハゼであり、ハゼの形状も種々のものがある。例えば、ハゼの頭部の断面形状は、円形、楕円形、矩形など種々のものがあり、さらに、頭部と首部との位置関係も、首部が頭部の中心部分から下方に延びているもの、首部が頭部の一端側から下方に延びているものなどがある。支持部材が他の折板屋根の場合は、突出部は剣先ボルトなどである。
【００２４】
また、被取付部材は、例えば、ソーラーパネルである。さらに、被取付部材は、ソーラーパネルに限らず、電設用機材、避雷針、緑化屋根用プランター、空調装置、アンテナなどの屋根上設置設備あるいはそのフレームであってもよい。
【００２５】
さらに、第１の部品および第２の部品は、上述したように締結手段により締結されることにより支持部材を挟持するものであれば、特定の形状や特定材料に限定されるものではない。
【００２６】
第１の部品および第２の部品の材料は、例えば、アルミ、鉄、ステンレスなどの金属材料であってもよいし、樹脂材料であってもよい。また、第１の部品および第２の部品は、押し出し成型により形成されたものでもよいが、第１の部品および第２の部品の形成は、押し出し成型に限らず、鍛造やプレス加工など他の方法によるものでもよい。
【００２７】
さらには、本発明において、第１の部品と第２の部品とが対向する対向面に沿った第１の方向も、対向面における方向であれば特に限定されるものではない。
【００２８】
例えば、上述したように支持部材がハゼ式折板屋根の場合は、第１の方向は、通常、折板屋根の傾斜方向（つまり、屋根の流れ方向）である。なぜなら、ハゼ式折板屋根は、所定サイズの折板を接合して形成されており、隣接する折板の接合部であるハゼ部を跨いで取り付けられる取付器具では、第１の部品と第２の部品との相対的な位置ズレは、通常、隣接する折板の接合部（ハゼ部）の延びる方向に生ずるからであり、取付器具では、この方向での位置ズレを規制する必要があるからである。
【００２９】
ただし、被取付部材がソーラーパネルなどの面積の広い板状の部材である場合には、風荷重などがかかったときには、隣接する折板の間で、折板屋根の表面に垂直な方向にズレが生ずることもある。このような場合は、第１の部品と第２の部品との相対的な位置ズレを規制する方向、つまり第１の方向は、折板屋根の表面に垂直な方向とすることとが有効な場合もある。また、第１の部品と第２の部品との相対的な位置ズレを規制する第１の方向は、屋根の傾斜や風向きなどの立地条件を考慮して、対向面における屋根の流れ方向と屋根の表面に垂直な方向との間の方向であることが有効な場合もある。
【００３０】
また、相対移動規制部により第１の部品と第２の部品との相対移動が規制される対向面に沿った第２の方向は、対向面における第１の方向と異なる方向であればよい。
【００３１】
例えば、第１の方向における第１の部品と第２の部品との相対移動を規制するための第１の部品と第２の部品との係合あるいはその係合解除を行う際に、第１の部品と第２の部品とを第２の方向に相対移動させる場合がある。そのような場合に、第１の方向とは異なる第２の方向における第１の部品と第２の部品との相対移動を規制することは有効である。この方向の相対移動を規制することで、第１の方向における第１の部品と第２の部品との相対移動を規制するための両者の係合が外れるのを回避できるからである。具体的には、第２の方向が、第１の方向に対して垂直な方向である場合と、第２の方向が、第１の方向に対する斜め方向である場合がある。いずれの場合も、第１の部品と第２の部品とを第１の方向と異なる第２の方向に相対移動させることにより、第１の部品と第２の部品との第１の方向における相対移動が規制されるように第１の部品と第２の部品とを係合させたり、あるいはその係合を解除させたりすることができる。
【００３２】
ただし、以下の実施形態では、被取付部材がソーラーパネルであり、支持部材がハゼ式折板屋根であり、第１の部品および第２の部品がハゼ式折板屋根に取り付けられる金属製金具であり、第１の部品および第２の部品のうちの一方に被取付部材が固定される場合について説明する。
【００３３】
本発明の実施形態による取付器具は、少なくとも、第１の方向（屋根の流れ方向）における第１の部品と第２の部品との相対移動を規制する相対移動規制部を有するものである。
【００３４】
また、本発明の実施形態による取付器具は、第１の方向（屋根の流れ方向）における第１の部品と第２の部品との相対移動を規制することに加えて、第２の方向（屋根の上下方向）における第１の部品と第２の部品との相対移動も規制するように構成されていてもよい。
【００３５】
なお、本発明の実施形態による取付器具は、第２の方向（屋根の上下方向）における第１の部品と第２の部品との相対移動も規制するように構成されていなくてもよいが、以下の実施形態１では、相対移動規制部は、第１の方向（屋根の流れ方向）における第１の部品と第２の部品との相対移動を規制することに加えて、第２の方向（屋根の上下方向）における第１の部品と第２の部品との相対移動も規制するように構成されているものを挙げる。
【００３６】
さらに、本発明の実施形態では、相対移動規制部は、第１の部品に形成された第１係合部および第２係合部と、第２の部品に形成された第３係合部および第４係合部とを有し、第１係合部と第３係合部との係合により第１の方向における相対移動が規制され、第２係合部と第４係合部との係合により第２の方向における相対移動が規制されるように構成されている取付器具を示す。
【００３７】
実施形態１の取付器具のように、第２の方向（屋根の上下方向）における第１の部品と第２の部品との相対移動を規制するものでは、第１の挟持片の先端部および第２の挟持片の先端部が支持部材の突出部（例えば、ハゼ）に接触する部分の面積を小さくしても、突出部を確実に挟めることから、実施形態２では、第１の挟持片の先端部および第２の挟持片の先端部が支持部材の突出部（例えば、ハゼ）に接触する部分の面積が小さくなるように先端部のうちの突出部に対向する部分に凸部を形成したものを説明する。
【００３８】
第１の挟持片の先端部および第２の挟持片の先端部が支持部材の突出部（例えば、ハゼ）に接触する部分の面積を小さくした取付器具では、取付器具が突出部の姿勢の影響を受けて斜めに突出部に固定された場合でも、取付器具に被取付部材（例えば、ソーラーパネル）を固定すると、斜めになっている取付器具が真っすぐになりやすいという効果がある。
【００３９】
さらに、実施形態３では、実施形態２の構成に加えて、取付器具が斜めに固定されてしまうことによる影響を低減するために、取付器具のうちの被取付部材を載置する部分を凸状に湾曲させたものを説明する。
【００４０】
取付器具のうちの被取付部材を載置する部分を凸状に湾曲させることにより、取付器具が折板屋根に対して斜めに固定された場合でも、取付器具の固定ボルトが挿入されている部分と、取付器具と被取付部材とが当接する部分との距離を短くでき、これにより、取付器具への被取付部材の締付による締結手段、取付器具、被取付部材へ大きな応力が作用するのを低減できる。
【００４１】
以下、本発明の実施形態について図面を参照しながら説明する。
【００４２】
〔実施形態１〕
図１および図２は、本発明の実施形態１による取付器具１００を説明するための図である。図１（ａ）は、取付器具１００の外観を示す斜視図、図１（ｂ）は、取付器具１００がハゼ式折板屋根Ｒに取り付けられた状態を示す斜視図、図１（ｃ）は、図１（ｂ）に示される取付器具１００およびハゼ式折板屋根ＲをＡ方向から見た構造を示す平面図である。図２（ａ）は、図１（ａ）に示す取付器具１００を分解して示す斜視図、図２（ｂ）は、図１（ｃ）のＣ２部分に示されるハゼ式折板屋根の説明図、図２（ｃ）は、図１（ｃ）のＣ２部分の拡大図である。
【００４３】
（取付器具１００）
実施形態１の取付器具１００は、被取付部材を支持部材に取り付けるための金具である。ここでは、被取付部材はソーラーパネルＳであり、支持部材は、金属製のハゼ式折板屋根Ｒである。
【００４４】
取付器具１００は、図１（ａ）、図２（ａ）に示すように、第１の部品１１０と、第２の部品１２０と、第１の部品１１０と第２の部品１２０とを締結する締結手段１３０とを備えている。締結手段１３０は、締結ボルトＢｔ、締結ナットＮｔ、スプリングワッシャーＳｗ、平座金Ｗを含む。
【００４５】
ここで、ハゼＨは、図２（ｂ）に示すように、頭部Ｈｈおよび首部Ｈｎを有する。第１の部品１１０は第１の挟持片１０ａを有し、第２の部品１２０は第２の挟持片２０ａを有し、第１の挟持片１０ａおよび第２の挟持片２０ａはそれぞれ、ハゼＨ（突出部）に係合する先端部１１および２１を有する。
【００４６】
第１の部品１１０および第２の部品１２０が締結ボルトＢｔおよび締結ナットＮｔにより締結されたとき、図１（ｂ）に示すように、第１の挟持片１０ａおよび第２の挟持片２０ａがハゼＨの首部Ｈｎを挟持することにより取付器具１００がハゼ式折板屋根Ｒに固定される。
【００４７】
そして、実施形態１の取付器具１００は、第１の部材１１０と第２の部材１２０とが対向する対向面Ｐ０に沿った第１の方向（Ａ方向およびＦ方向：以下Ａ方向と略記する。）での第１の部材１１０と第２の部材１２０との相対移動が規制されるように構成された相対移動規制部１５０を備えている。
【００４８】
これにより、実施形態１の取付器具１００では、第１の部品１１０および第２の部品１２０に対して、これらの部品がハゼＨの長手方向（Ａ方向）に相対的にずれるような力が働いた場合でも、締結手段１３０を構成する締結ボルトＢｔに負荷がかかるのを回避することができる。
【００４９】
図３〜図５はそれぞれ、取付器具１００、第１の部品１１０、第２の部品１２０の構造を説明するための図である。図３は、図１（ａ）に示す取付器具１００の具体的な構成を説明するための図であり、図３（ａ）〜図３（ｅ）はそれぞれ図１（ａ）に示す取付器具１００をＡ方向〜Ｅ方向から見た構造を示す。なお、図３では、図１（ａ）に示す取付器具１００をＦ方向から見た構造は、Ａ方向から見た構造と対称なものであることから図示していない。
【００５０】
取付器具１００では、相対移動規制部１５０は、第１の部品１１０のパネル載置部１３のつば部１３ａに形成された係合穴（第１の係合部）１３ｄと、第２の部品１２０のつば当接部２３に形成された係合片（第３の係合部）２３ａとを有し、係合穴１３ｄに係合片２３ａが係合することにより、これらの部品１１０および１２０がハゼＨの長手方向（Ａ方向）に相対的にずれるのを規制するように構成されている。
【００５１】
さらに、取付器具１００では、相対移動規制部１５０は、第１の部材１１０と第２の部材１２０との相対移動を規制する第１の部材１１０の係合穴１３ｄと第２の部材１２０の係合片２３ａとの係合が外れないように構成されている。
【００５２】
取付器具１００では、第２の部品１２０の載置部支持片２０ｂを構成するつば当接部２３には、パネル載置部１３の係合穴１３ｄに係合する係合片２３ａの他に、斜め上方に延びる係合突起（第４の係合部）２３ｂが形成されており、第１の部品１１０のパネル支持片１０ｂを構成するパネル載置部１３には、その裏面側に斜め下方に延びる当接片（第２の係合部）１３ｅが形成されている。これらの当接片１３ｅと係合突起２３ｂとは、第１の部品１１０と第２の部品１２０とが締結手段１３０により連結された状態において、当接片１３ｅの上面と係合突起２３ｂの下面とが当接することで、パネル載置部１３に形成された係合孔１３ｄとつば当接部２３に形成された係合片２３ａとの係合の解除が規制されるようになっている。ここで、第１の部品１１０および第２の部品１２０は、パネル載置部１３の当接片（第２の係合部）１３ｅと係合突起（第４の係合部）２３ｂとの係合および係合解除が、図１２（ｄ）および図１２（ｂ）に示すように、第１の部品１１０に対する第２の部品１２０の姿勢の変更により行われるように構成されている。図１２（ｄ）に示す姿勢では、パネル載置部１３の当接片１３ｅとつば当接部２３の係合突起２３ｂとが係合しており、図１２（ｂ）に示す姿勢では、パネル載置部１３の当接片１３ｅとつば当接部２３の係合突起２３ｂとの係合が解除されている。
【００５３】
そして、取付器具１００は、パネル載置部１３の係合孔１３ｄとつば当接部２３の係合片２３ａとが係合した状態で、第１の部品１１０に対する第２の部品１２０の姿勢を、パネル載置部１３の当接片１３ｅとつば当接部２３の係合突起２３ｂとが係合する姿勢にし、さらに、第１の部品１１０と第２の部品１２０とに締結ボルトＢｆと締結ナットＮｔとを装着すると（図１２（ｅ）参照）、締結ボルトＢｆから締結ナットＮｔが外れない限り、パネル載置部１３の当接片１３ｅとつば当接部２３の係合突起２３ｂとの係合が解除されないようになっている。従って、第１の部品１１０と第２の部品１２０とを組み立てて締結ボルトＢｆと締結ナットＮｔとを装着した状態では、第１の部品１１０と第２の部品１２０との締結ボルトＢｆおよび締結ナットＮｔによる仮止め状態から締結ボルトＢｆと締結ナットＮｔとを緩めても、締結ボルトＢｆに締結ナットＮｔが付いている限り、パネル載置部１３の係合孔１３ｄとつば当接部２３の係合片２３ａとの係合が外れることはなく、第１の部品１１０と第２の部品１２０とが締結ボルトＢｆの軸の周りで相対的に回転することはない。
【００５４】
ここで、本願明細書において、係合穴１３ｄと係合片２３ａとの係合とは、「係合片が係合穴に隙間なく挿入されているもの」、「係合片が係合穴に隙間ありで挿入されているが、係合片が係合穴内で移動することで係合片が係合穴に当たるもの」のいずれをも包含するものである。
【００５５】
なお、第１の係合部は、係合穴１３ｄに限定されるものではなく、第１の係合部は、切欠きであってもよい。
【００５６】
図３Ａは、取付器具１００の変形例として第１の係合部が切欠きである取付器具を説明するための図であり、図３Ａ（ａ）は、第１の係合部として切欠きの一例を示し、図３Ａ（ｂ）は、第１の係合部として切欠きの他の例を示す。
【００５７】
図３Ａでは、切欠き１３ｆが突起部１３ｆ１を片側のみに有するものを示しているが、突起部を両側に有するものであってもよく、突起部を有しないものであってもよい。この突起部１３ｆ１は、Ｔ２方向から切欠き部１３ｆに挿入された係合片２３ａが、第１の部品１１０と第２の部品１２０とが対向するＴ３方向へ移動して切欠き部１３ｆから出るのを規制する。
【００５８】
また、第３の係合部は、図２（ａ）に示す係合片２３ａに限定されるものではなく、図３Ａ（ｂ）に示すように上部に突起２３ｆ１を有する係合片２３ｆでもよい。なお、図３Ａ（ｂ）では、突起２３ｆ１を両側に有するものを示しているが、片側に有するものであってもよい。係合片２３ｆの突起２３ｆ１は、切欠き１３ｆ内をＴ４方向に係合片２３ｆが移動するときにパネル載置部１３の表面に当接して係合片の移動を規制する働きがある。
【００５９】
以下、各部品毎にその構造を具体的に説明する。
【００６０】
（第１の部品１１０）
図４は、図１（ａ）に示す取付器具１００の第１の部品１１０の具体的な構造を説明するための図であり、図４（ａ）〜図４（ｅ）はそれぞれ図２（ａ）に示す第１の部品１１０をＡ方向〜Ｅ方向から見た構造を示し、図４（ｆ）、図４（ｇ）はそれぞれ、図４（ａ）のＦ４部分、Ｇ４部分を拡大して示す。なお、図４においても、図２（ａ）に示す第１の部品１１０をＦ方向から見た構造は、Ａ方向から見た構造と対称なものであることから図示していない。
【００６１】
第１の部品１１０は、ハゼＨを挟持するための第１の挟持片１０ａと、被取付部材であるソーラーパネルＳを支持するパネル支持片１０ｂと、第１の挟持片１０ａとパネル支持片１０ｂとが接合された基部１０ｃとを有する。
【００６２】
（基部１０ｃ）
基部１０ｃは、第１の挟持片１０ａおよびパネル支持片１０ｂの部分に比べて肉厚が厚い側壁１５で構成されており、側壁１５の中央部には締結ボルトＢｔを通す締結ボルト穴１５ａが形成されている。側壁１５のハゼＨに対向する面とは反対側の面（側壁外面）には、締結ボルトＢｔの空回りを防止する一対の線状突起１５ｂが形成されている。ここで、側壁１５が肉厚になっているのは、側壁１５は締結ボルトＢｔが装着される部分であることから機械的強度を確保するためである。ただし、側壁１５を肉厚にしなくても第１の部品１１０の強度が確保できる場合は肉厚にする必要はない。さらに、締結ボルト穴１５ａは丸穴である。締結ボルトＢｔを締結ボルト孔１５ａに通したときに、締結ボルトＢｔが第１の部品１１０に対してがたつかないようにするためであるが、場合によっては長孔でもよい。
【００６３】
（パネル支持片１０ｂ）
パネル支持片１０ｂは、ソーラーパネルＳを載置するパネル載置部１３と、パネル載置部１３を支持する載置部支持部１４とを有する。載置部支持部１４の一端はパネル載置部１３に一体に接合され、載置部支持部１４の他端は、基部１０ｃと一体に接合されている。パネル載置部１３の中央部には、ソーラーパネルＳをパネル載置部１３に固定するための固定ボルトＢｆを通す固定ボルト穴１３ｃが形成されている。パネル載置部１３の裏面側には、固定ボルト穴１３ｃに挿入された固定ボルトＢｆを保持する一対のボルト保持片１３ｂが、固定ボルト穴１３ｃの両側に位置するように形成されている。さらに、パネル載置部１３のうちの載置部支持部１４とは反対側の側縁にはつば部１３ａが形成されている。このつば部１３ａは、第１の部品１１０と第２の部品１２０とが締結手段１３０により締結されたとき、第２の部品１２０の上端上で支持されるようになっている。
【００６４】
そして、第１の部品１１０のつば部１３ａには、図４（ｆ）に示すように、第２の部品１２０のつば当接部２３に形成された係合片２３ａと係合する係合穴１３ｄが形成されている。さらに、第１の部品１１０のパネル載置部１３の裏面側には、図４（ａ）、図４（ｆ）に示すように、第２の部品１２０のつば当接部２３から斜め上方に延びる係合突起２３ｂと係合するように、当接片１３ｅが斜め下方に延びるように形成されている。さらに、第１の部品１１０の当接片１３ｅと第２の部品１２０の係合突起２３ｂとは、第１の部品１１０の係合穴１３ｄに第２の部品１２０の係合片２３ａが挿入された状態（係合状態）では、第１の部品１１０に対する第２の部品１２０の姿勢の変更により、係合あるいは係合解除されるように構成されている（図１２（ｂ）、図１２（ｄ）、図１２（ｆ）参照）。
【００６５】
なお、第１の部品１１０のパネル載置部１３の表面（載置面）には、ソーラーパネルＳを載置面上で位置決めするときの指標となるガイドラインを引いておいてもよく、その場合には、ソーラーパネルＳの設置の際に取付器具１００に対するソーラーパネルＳの位置を測定する必要がなく、高い施工性が得られる。
【００６６】
また、第１の部品１１０のパネル載置部１３の載置面には、載置面に隣接するように配置された一対のソーラーパネルＳの間で電気的な導通をとるためのアース金具を設けてもよく、その場合には、ソーラーパネルＳ間での導通性を高め、ソーラーパネルＳ間でアース電位が変動するのを抑制することができる。この場合、アース金具の表面には、ソーラーパネルＳを載置面上で位置決めするときの指標となるガイドラインが引かれていることが好ましい。
【００６７】
（第１の挟持片１０ａ）
第１の挟持片１０ａは、ハゼ式折板屋根ＲのハゼＨを掴む掴み部１を構成する先端部１１と、先端部１１を支持する先端部支持部１２とを有する。先端部支持部１２の一端は先端部１１に一体に接合され、先端部支持部１２の他端は、基部１０ｃと一体に接合されている。
【００６８】
先端部１１は、図２（ｃ）、図４（ｇ）に示すように、ハゼＨの首部Ｈｎの側面に対向する対向面１１ａの全面がハゼＨに接触するようになっている。さらに、先端部１１の下面のうちの折板屋根Ｒに接する部分には、転倒抑止片１１ｃが形成されている。この転倒抑止片１１ｃには、第１の部品１１０と第２の部品１２０とが締結部材１３０により緩く締結された仮止め状態で、これらの部品１１０および１２０が起立するように折板屋根Ｒ上に置かれたときに、全体として概ね円筒形状となっている取付器具１００が円筒の円周方向に転がって倒れるのを抑止する働きがある。
【００６９】
先端部支持部１２のハゼＨに対向する面とは反対側の面には傾斜規制片１２ａが形成されている。傾斜規制片１２ａには、ハゼ式折板屋根ＲのハゼＨの傾きの影響を受けて取付器具１００が斜めに固定される場合でも、傾斜規制片１２ａの下端が折板屋根Ｒの表面に当接することで、取付器具１００が極端に傾くのを回避する働きがある。
【００７０】
（第２の部品１２０）
図５は、図１（ａ）に示す取付器具の第２の部品１２０の具体的な構造を説明するための図であり、図５（ａ）〜図５（ｅ）はそれぞれ図２（ａ）に示す第２の部品１２０をＡ方向〜Ｅ方向から見た構造を示し、図５（ｆ）および図５（ｇ）はそれぞれ、図５（ａ）のＦ５部分およびＧ５部分を拡大して示す。なお、図５においても、図２（ａ）に示す第２の部品１２０をＦ方向から見た構造は、Ａ方向から見た構造と対称なものであることから図示していない。
【００７１】
第２の部品１２０は、ハゼＨを挟持するための第２の挟持片２０ａと、第１の部品１１０のパネル載置部１３を支持する載置部支持片２０ｂと、第２の挟持片２０ａと載置部支持片２０ｂとが接合された基部２０ｃとを有する。
【００７２】
（基部２０ｃ）
基部２０ｃは、第２の挟持片２０ａおよび載置部支持片２０ｂの部分に比べて肉厚が厚い側壁２５で構成されており、側壁２５の中央部には締結ボルトＢｔを通す締結ボルト穴２５ａが形成されている。締結ボルト穴２５ａは、第１の部品１１０の基部１０ｃに設けられている丸穴の締結ボルト穴１５ａとは異なり長孔となっているが、締結ボルト穴１５ａと同じ形状であってもよい。ここで、側壁２５が肉厚になっているのは、第１の部品１１０の側壁１５が肉厚になっているのと同じ理由であり、場合によっては肉厚にする必要はない。
【００７３】
（載置部支持片２０ｂ）
載置部支持片２０ｂは、第１の部品１１０のパネル載置部１３のつば部１３ａに当接するつば当接部２３と、つば当接部２３を支持する当接部支持部２４とを有する。当接部支持部２４の一端はつば当接部２３に一体に接合され、当接部支持部２４の他端は、基部２０ｃと一体に接合されている。
【００７４】
そして、第２の部品１２０のつば当接部２３には、図５（ｆ）に示すように、第１の部品１１０のつば部１３ａに形成された係合穴１３ｄに挿入される係合片２３ａが形成されている。この係合孔１３ｄに係合片２３ａが挿入されることにより、屋根の流れ方向（図１のＡ方向）における第１の部品１１０と第２の部品１２０との相対移動が規制される。さらに、第２の部品１２０のつば当接部２３には、第１の部品１１０のパネル載置部１３の裏面側に形成された当接片１３ｅに当接する係合突起２３ｂが形成されている。この係合突起２３ｂが当接片１３ｅに当接することにより、係合孔１３ｄから係合片２３ａが抜ける方向（屋根の面に垂直な方向）における第１の部品１１０と第２の部品１２０との相対移動が規制される。
【００７５】
従って、この実施形態１の取付器具１００では、係合穴１３ｄと当接片１３ｅとを有する第１の部品１１０のパネル載置部１３と、係合片２３ａと係合突起２３ｂとを有する第２の部品１２０のつば当接部２３とにより、上述した相対移動規制部１５０が構成されている。
【００７６】
（第２の挟持片２０ａ）
第２の挟持片２０ａは、ハゼ式折板屋根ＲのハゼＨを掴む掴み部１を構成する先端部２１と、先端部２１を支持する先端部支持部２２とを有する。先端部支持部２２の一端は先端部２１に一体に接合され、先端部支持部２２の他端は、基部２０ｃと一体に接合されている。
【００７７】
先端部２１は、図２（ｃ）、図５（ｇ）に示すように、ハゼＨの首部Ｈｎの側面に対向する対向面２１ａの全面がハゼＨに接触するようになっている。さらに、先端部２１の下面のうちの折板屋根Ｒに接する部分には、転倒抑止片２１ｃが形成されている。この転倒抑止片２１ｃには、第１の部品１１０の第１の挟持片１０ａの先端部１１に設けられた転倒抑止片１１ｃと同じ働きがある。
【００７８】
先端部支持部２２のハゼＨに対向する面とは反対側の面には傾斜規制片２２ａが形成されている。傾斜規制片２２ａにも、第１の部品１１０の第１の挟持片１０ａに設けられた傾斜規制片１２ａと同じ働きがある。
【００７９】
２．取付器具１００の使用方法
次に、実施形態１の取付器具１００の使用方法を説明する。
【００８０】
図６および図７は、実施形態１の取付器具１００を用いてソーラーパネルＳを折板屋根Ｒに取り付けた状態を説明するための図である。図６（ａ）は、ハゼ式折板屋根Ｒの全体を示し、図６（ｂ）は、図６（ａ）におけるＢ６部分を拡大して示す平面図であり、図７は、図６（ｂ）のＡ７部分の具体的な構造を示す斜視図である。
【００８１】
ただし、図６（ａ）では、ハゼ式折板屋根Ｒの凹凸は省略し、図７では、ソーラーパネルＳを透視して示し、取付器具１００については、紙面の中央に位置するハゼＨに取り付けられているもののみを示している。
【００８２】
実施形態１の取付器具１００は、図６（ａ）に示すようにソーラーパネルＳを架台などを用いずにハゼ式折板屋根Ｒ（以下、折板屋根Ｒとも記載する。）に直接取り付けるのに用いられる。この取付器具１００には、図６（ｂ）および図７に示すように、折板屋根Ｒの端部以外の部分（例えば、図７のＡ８部分）では、折板屋根Ｒの傾斜方向Ｔに配列されている隣接するソーラーパネルＳの一方の端部とその他方の端部とが載置され、折板屋根Ｒの端部（例えば、図７のＡ９部分）では、折板屋根Ｒの傾斜方向の端部に位置するソーラーパネルＳの端部のみが載置される。なお、図６および図７では示していないが、折板屋根Ｒは、建造物のベース部材に固定されたタイトフレームにより支持されている。
【００８３】
このため、取付器具１００を折板屋根Ｒの端部以外の部分で使用する場合と、取付器具１００を折板屋根Ｒの端部で使用する場合とでは、取付対象が異なるため、それに対応して、ソーラーパネルＳを取付器具１００の第１の部品１１０に取り付けられる押え金具として異なる構造のものを用いてもよい。
【００８４】
図８は、図７のＡ８部分の拡大図であり、折板屋根Ｒの中間部分に位置する取付器具１００に取り付けられる押え金具３０を示している。
【００８５】
図８に示すように、折板屋根Ｒの端部以外の部分（図７のＡ８部分）に配置された取付器具１００には、折板屋根Ｒの傾斜方向に配列されている隣接するソーラーパネルＳの両方を取付器具１００に対して押さえ付ける押え金具３０が用いられる。
【００８６】
図９は、図７のＡ９部分の拡大図であり、折板屋根Ｒの端部に位置する取付器具１００に取り付けられる押え金具４０を示している。
【００８７】
図９に示すように、折板屋根Ｒの端部（図７のＡ９部分）に配置された取付器具１００には、折板屋根Ｒの端部に配列されている１つのソーラーパネルＳを取付器具１００に対して押さえ付ける押え金具４０が用いられる。
【００８８】
図１０は、取付器具１００に取り付けられる押え金具３０の構造を説明するための図である。図１０（ａ）は斜視図、図１０（ｂ）〜図１０（ｅ）はそれぞれ、図１０（ａ）に示す押え金具３０をＢ１０方向〜Ｅ１０方向から見た構造を示す。
【００８９】
折板屋根Ｒの中間部分（図７のＡ８部分）に配置された取付器具１００に用いられる押え金具３０は、固定ボルトＢｆが装着される底部３１と、底部３１の両側端から起立する一対の対向する側壁部３２ａおよび３２ｂと、側壁部３２ａおよび３２ｂのそれぞれの上端から外側に延びるように形成された一対の押え片３３ａおよび３３ｂとを有する。底部３１には固定ボルトＢｆを挿入するための固定ボルト穴３１ａが形成されている。
【００９０】
この押え金具３０は、図８に示すように、取付器具１００に装着したとき、押え金具３０の一対の押え片３３ａおよび３３ｂにより、押え金具３０の固定ボルトＢｆの両側に配置されている一対のソーラーパネルＳの両方を取付器具１００に対して固定することができる。
【００９１】
図１１は、取付器具１００に取り付けられる押え金具４０の構造を説明するための図である。図１１（ａ）は斜視図、図１１（ｂ）〜図１１（ｆ）は、図１１（ａ）に示す押え金具４０をＢ１１方向〜Ｆ１１方向から見た構造を示す。
【００９２】
折板屋根Ｒの端部（図７のＡ９部分）に配置された取付器具１００に用いられる押え金具４０は、固定ボルトＢｆが装着される横板部４１と、横板部４１の一端から起立する上縦壁部４２と、上縦壁部４２の上端から外側に延びるように形成された押え片４３と、横板部４１の他端から下方に延びる下縦壁部４４とを有する。横板部４１には、固定ボルトＢｆを挿入するための固定ボルト穴４１ａが形成されている。
【００９３】
この押え金具４０は、図９に示すように、取付器具１００に装着したとき、押え金具４０の１つの押え片４３が押え金具４０の一方側にのみ配置されているソーラーパネルＳを取付器具１００に対して押さえ付けると同時に、押え金具４０の下縦壁部４４の下端が取付器具１００の第１の部品１１０のパネル載置部１３の上面に当接することとなる。これにより、押え金具４０により固定ボルトＢｆの片側でのみソーラーパネルＳを押さえ付けたときに、押え金具４０が傾いて押え金具がソーラーパネルＳを押さえ付ける力がソーラーパネルＳに対して斜めにかかるのを回避することができる。
【００９４】
〔取付器具１００の取付作業〕
次に、取付器具１００を用いてソーラーパネルＳを折板屋根Ｒに取り付ける作業を説明する。
【００９５】
まず、折板屋根Ｒの決められた複数の位置の各々に取付器具１００を固定する。なお、これらの取付器具１００の固定は、作業性を考慮して、第１の部品１１０と第２の部品１２０とを締結ボルトＢｔおよび締結ナットＮｔなどで連結し、さらに、固定ボルトＢｆを装着した状態で行ってもよい。すなわち、取付器具１００は、第１の部品１１０のパネル載置部１３の係合孔１３ｄに第２の部品１２０のつば当接部２３の係合片２３ａが挿入され、さらに、第１の部品１１０と第２の部品１２０が、パネル載置部１３の当接片１３ｅとつば当接部２３の係合突起２３ｂとが係合する姿勢になるように組み合わせられている。また、第１の部品１１０の締結ボルト穴１５ａおよび第２の部品１２０の締結ボルト穴２５ａに締結ボルトＢｔが挿入され、締結ボルトＢｔに平座金Ｗ、スプリングワッシャーＳｗ、および締結ナットＮｔが装着されて第１の部品１１０および第２の部品１２０が仮止めされた状態となっている。この状態で、締結ボルトＢｆと締結ナットＮｔとを緩めて、第１の部品１１０と第２の部品１２０との間にハゼＨが挿入されるように取付器具１００を折板屋根Ｒ上に配置し、締結ナットＮｔを締結ボルトＢｔに対して締め付ける。これにより、第１の部品１１０の第１の挟持片１０ａと第２の部品１２０の第２の挟持片２０ａとがハゼＨを挟持することとなって取付器具１００が折板屋根Ｒに固定される。
【００９６】
この場合、取付器具１００は第１の部品１１０と第２の部品１２０とを連結した状態で出荷し、その状態から施工可能であるため、施工作業の効率を高めることができる。
【００９７】
ただし、取付器具１００の出荷は、第１の部品１１０と第２の部品１２０とが連結された状態で行われる場合に限定されない。第１の部品１１０と第２の部品１２０とが別々に出荷され、現場で取付器具１００を折板屋根Ｒに取り付ける際に第１の部品１１０と第２の部品１２０とを連結するようにしてもよい。
【００９８】
実施形態１の取付器具１００では、第１の部品１１０と第２の部品１２０とを連結して組み立てる作業も作業性のよいものとなっている。
【００９９】
図１２は、取付器具１００における第１の部品１１０と第２の部品１２０との組立て作業を説明するための図であり、図１２（ａ）〜図１２（ｅ）は、第１の部品１１０と第２の部品１２０とを組み立てる手順を示し、図１２（ｆ）は、図１２（ｃ）におけるＥ１２部分を拡大して示す。
【０１００】
まず、図１２（ａ）に示すように、第１の部品１１０のパネル載置部１３の開口部（以下、係合穴という。）１３ｄに第２の部品１２０のつば当接部２３の係合片２３ａを挿入する際には、第１の部品１１０に対する第２の部品１２０の姿勢を、つば当接部２３の係合片２３ｂがパネル載置部１３の係合突起１３ｅに干渉しない姿勢に保ち、図１２（ｂ）、図１２（ｆ）に示すように、第１の部品１１０のパネル載置部１３の係合穴１３ｄに斜め下方から第２の部品１２０のつば当接部２３の係合片２３ａを、つば当接部２３の上端がパネル載置部１３の下面に当接するまで挿入する。次に、第１の部品１１０に対する第２の部品１２０の姿勢を、図１２（ｃ）〜図１２（ｄ）に示すように、パネル載置部１３の当接片１３ｅとつば当接部２３の係合突起２３ｂとが係合するように変更する。その結果、第１の部品１１０と第２の部品１２０との相対的な上下移動は、当接片１３ｅと係合突起２３ｂとの係合により規制された状態となる。
【０１０１】
この状態で、第１の部品１１０および第２の部品１２０に締結ボルトＢｔ、平座金Ｗ、スプリングワッシャーＳｗ、締結ナットＮｔを装着し、固定ボルトＢｆを装着することで第１の部品１１０に対する第２の部品１２０の姿勢が固定される。この状態は、第１の部品１１０のパネル載置部１３の係合穴１３ｄから第２の部品１２０のつば当接部２３の係合片２３ａが外れない状態である。
【０１０２】
〔ソーラーパネルＳの固定作業〕
その後、折板屋根Ｒの棟側あるいは軒側から順にソーラーパネルＳを取付器具１００上に配置し、押え金具３０および押え金具４０を用いてソーラーパネルＳを取付器具１００に固定していく。
【０１０３】
以上説明したように本発明の実施形態１による取付器具１００では、第１の部品１１０と第２の部品１２０とが対向する対向面Ｐ０に沿った第１の方向（屋根の流れ方向）（図１（ａ）に示すＡ方向）での第１の部材１１０と第２の部材１２０との相対移動を規制する相対移動規制部１５０を備えたので、第１の部品１１０および第２の部品１２０に対して、これらの部品がハゼの長手方向（図７参照）に相対的にずれるような力が働いた場合でも、締結手段である締結ボルトＢｔに負荷がかかるのを回避することができる。
【０１０４】
さらに、相対移動規制部１５０は、パネル載置部１３の裏面側に形成された当接片１３ｅとつば当接部２３に形成された係合突起２３ｂとを含み、当接片１３ｅと係合突起２３ｂとが当接することにより、第２の部品１２０のつば当接部２３の係合片２３ａと第１の部品１１０のパネル載置部１３の係合穴１３ｄとの係合が外れる方向（第２の方向（図１のＣ方向およびＤ方向））の相対移動を規制するようにしたので、第１の部品１１０の係合穴１３ｄと第２の部品１２０の係合片２３ａとの係合が外れて第１の部品１１０と第２の部品１２０とが相対的に回転するのを回避できる。
【０１０５】
さらに、実施形態１の取付器具１００では、パネル載置部１３の当接片１３ｅとつば当接部２３の係合突起２３ｂとの係合および係合解除は、第１の部品１１０に対する第２の部品１２０の姿勢の変化により行われるので、これらの係合および係合解除のための操作が簡単であり、しかも、第１の部品１１０および第２の部品１２０に締付ボルトＢｔおよび締付ナットＮｔを装着することで、第１の部品１１０に対する第２の部品１２０の姿勢を、パネル載置部１３の当接片１３ｅとつば当接部２３の係合突起２３ｂとが係合する状態の姿勢に保持でき、締付ナットＮｔが締付ボルトＢｔからはずれない限り、第１の部品１１０に対する第２の部品１２０の相対的な回転を防止できる。
【０１０６】
なお、実施形態１の取付器具１００では、パネル載置部１３の当接片１３ｅとつば当接部２３の係合突起２３ｂとの係合および係合解除は、第１の部品１１０に対する第２の部品１２０の姿勢の変化により行うようにしているが、パネル載置部１３の当接片１３ｅとつば当接部２３の係合突起２３ｂとの係合および係合解除の方法はこれに限定されるものではない。
【０１０７】
例えば、パネル載置部１３の当接片１３ｅとつば当接部２３の係合突起２３ｂのうちの少なくとも一方を弾性変形可能に構成し、パネル載置部１３の当接片１３ｅとつば当接部２３の係合突起２３ｂとの係合および係合解除が、パネル載置部１３の当接片１３ｅとつば当接部２３の係合突起２３ｂの当接による弾性変形により行われるようにしてもよい。
【０１０８】
具体的には、図１２（ａ）および図１２（ｂ）に示すように、第１の部品１１０のパネル載置部１３の係合穴１３ｄに斜め下方から第２の部品１２０のつば当接部２３の係合片２３ａを、つば当接部２３の係合突起２３ｂの先端がパネル載置部１３の当接片１３ｅの先端に当接するまで挿入し、さらに、つば当接部２３の係合突起２３ｂおよびパネル載置部１３の当接片１３ｅの少なくとも一方（例えば、当接片１３ｅ）を弾性変形させて係合片２３ａを係合穴１３ｄに押し込む。これにより、図１２（ｄ）に示すように、係合突起２３ｂが当接片１３ｅとパネル載置部１３の裏面との間に押し込まれる。その結果、第１の部品１１０と第２の部品１２０とは、当接片１３ｅと係合突起２３ｂとの当接により嵌合状態となる。
【０１０９】
この場合は、第１の部品１１０および第２の部品１２０に装着されている締付ナットＮｔが締付ボルトＢｔから外れても、パネル載置部１３の当接片１３ｅとつば当接部２３の係合突起２３ｂとの係合は維持され、第１の部品１１０に対する第２の部品１２０の相対的な回転を防止できる。
【０１１０】
なお、上述した実施形態１の取付器具１００では、相対移動規制部１５０により、対向する第１の部品１１０と第２の部品１２０との屋根上での高さ方向の相対移動が規制されるので、ハゼ掴み部１として先端部１１および先端部２１（つまり、第１の部品１１０の第１の挟持片１０ａの先端部１１、および第２の部品１２０の第２の挟持片２０ａの先端部２１）の間での位置ズレは生じ難くなる。このため、第１の部品１１０の先端部１１と第２の部品１２０の先端部２１とが両者の高さ方向の位置ズレに起因してハゼＨの確実な掴みを阻害することなく、第１の部品１１０および第２の部品１２０のうちのハゼＨの首部Ｈｎの側面に当接する部分（第１の挟持片１０ａの先端部１１、第２の挟持片の先端部２１のうちのハゼＨに接する部分）の面積を少なくすることもできる。
【０１１１】
このように第１の挟持片１０ａ、第２の挟持片２０ａの先端部１１、２１のハゼＨに接する部分の面積を減らすことで、ハゼＨの姿勢、傾きや曲がりの影響で、取付器具１００がハゼ式折板屋根Ｒに斜めに固定された場合でも、取付器具１００にソーラーパネルＳを固定したときに、取付器具１００の姿勢が直立姿勢に戻りやすくすることができる。
【０１１２】
以下このようなハゼ掴み部１の構成を改良した取付器具１００を実施形態２として説明する。
【０１１３】
〔実施形態２〕
１．取付器具２００の構造
図１３および図１４は、本発明の実施形態２による取付器具２００を説明するための図である。図１３（ａ）は、取付器具２００の外観を示す斜視図、図１３（ｂ）は、取付器具２００がハゼ式折板屋根Ｒに取り付けられた状態を示す斜視図、図１３（ｃ）は、図１３（ｂ）に示される取付器具２００およびハゼ式折板屋根ＲをＡ方向から見た構造を示す平面図である。図１４（ａ）は、図１３（ａ）に示す取付器具２００を分解して示す斜視図、図１４（ｂ）は、図１３（ｃ）のＢ１４部分の拡大図である。
【０１１４】
（取付器具２００）
実施形態２の取付器具２００は、実施形態１の取付器具１００の先端部１１、１２とは構造が異なる先端部２１１、２２１を有している。先端部２１１、２２１はそれぞれ、図１４（ｂ）に示すように、実施形態１の先端部１１、２１の対向面１１ａ、１２ａに、先端部がハゼＨの首部Ｈｎに接触する面積を低減するための凸部１１ｂ、１２ｂを形成した構造を有する。
【０１１５】
このような先端部２１１、２２１の構造では、第１の部品２１０および第２の部品２２０はそれぞれ、ハゼＨに対してより狭い面積で接触する。このため、折板屋根Ｒに対するハゼＨの傾きの影響を受けて取付器具２００が折板屋根Ｒに対して斜めに固定された場合でも、取付器具２００上にソーラーパネルＳを取り付ける作業の際に、取付器具２００上にソーラーパネルＳが固定されるように固定ボルトＢｆに対して固定ナットＮｆを締め付けたときに取付器具１００に働く力により、斜めになった取付器具２００が簡単に直立の姿勢に近づくように起き上がることとなる。この結果、ハゼＨの傾斜の影響が、取付器具２００に取り付けられるソーラーパネルＳなどに及ぶのを抑制することができる。
【０１１６】
以下、取付器具２００の具体的構成を説明する。
【０１１７】
図１５〜図１７はそれぞれ、取付器具２００、第１の部品２１０、第２の部品２２０の構造を説明するための図である。
【０１１８】
図１５は、図１３（ａ）に示す取付器具２００の具体的な構成を説明するための図であり、図１５（ａ）〜図１５（ｅ）はそれぞれ図１３（ａ）に示す取付器具２００をＡ方向〜Ｅ方向から見た構造を示す平面図である。なお、図１５では、図１３（ａ）に示す取付器具２００をＦ方向から見た構造は、Ａ方向から見た構造と対称なものであることから図示していない。
【０１１９】
取付器具２００は、実施形態１における第１の部品１１０および第２の部品１２０に代わる第１の部品２１０および第２の部品２２０を有し、第１の部品２１０の挟持片２１０ａの先端部２１１と第２の部品２２０の挟持片２２０ａの先端部２２１とが対向するように、締結ボルトＢｔおよび締結ナットＮｔによりこれらの部品が連結される構造となっている。
【０１２０】
第１の挟持片２１０の先端部２１１は、図１４（ｂ）に示すように、ハゼＨの首部Ｈｎの側面に対向する対向面１１ａと、対向面１１ａに形成された凸部１１ｂとを有し、第２の挟持片２２０の先端部２２１は、ハゼＨの首部Ｈｎに対向する対向面２１ａと、対向面２１ａに形成された凸部２１ｂとを有し、第１の挟持片２１０ａおよび第２の挟持片２２０ａがハゼＨを挟持したとき、これらの凸部１１ｂ、２１ｂがハゼＨの首部Ｈｎの側面に接触するようになっている。この取付器具２００では、第１の挟持片２１０ａの先端部２１１および第２の挟持片２２０ａの先端部２２１は、ハゼＨを掴むハゼ掴み部２０１を構成しており、ハゼ掴み部２０１では、先端部２１１、２２１の凸部１１ｂ、２１ｂがハゼＨの首部Ｈｎの側面に接する領域は、先端部２１１、２２１の対向面１１ａ、２１ａよりも狭い領域である。
【０１２１】
具体的には、実施形態２の取付器具２００では、第１、第２の部品２１０、２２０の挟持片２１０ａ、２２０ａの先端部２１１、２１２の対向面１１ａ、１２ａには、ハゼ式折板屋根Ｒの傾斜方向に延びるハゼＨに沿うように線状の凸部２１１ｂ、２２１ｂが形成されている。一方の挟持片（ここでは第１の挟持片２１０ａ）の先端部２１１に形成された線状の凸部１１ｂは、ハゼＨの首部Ｈｎの側面に面接触する平面を有し、他方の挟持片（ここでは、第２の挟持片２２０ａ）の先端部２２１に形成された線状の凸部２２１ｂは、ハゼＨの首部Ｈｎの側面に線接触する曲面を有する。
【０１２２】
以下、各部品毎にその構造を説明する。
【０１２３】
（第１の部品２１０）
図１６は、図１３（ａ）に示す取付器具２００の第１の部品２１０の具体的な構造を説明するための図である。図１６（ａ）〜図１６（ｅ）はそれぞれ図１４（ａ）に示す第１の部品２１０をＡ方向〜Ｅ方向から見た構造を示し、図１６（ｆ）、図１６（ｇ）はそれぞれ、図１６（ａ）のＦ１６部分、Ｇ１６部分を拡大して示す。なお、図１６では、図１４（ａ）に示す第１の部品２１０をＦ方向から見た構造は、Ａ方向から見た構造と対称なものであることから図示していない。
【０１２４】
実施形態２の取付器具２００における第１の部品２１０は、実施形態１の第１の部品１１０における第１の挟持片１０ａに代えて、実施形態１のものとは構造が異なる第１の挟持片２１０ａを備えたものであり、その他の構成は、実施形態１の第１の部品１１０におけるものと同一である。
【０１２５】
ここで、第１の挟持片２１０ａは、実施形態１の第１の挟持片１０ａにおける先端部１１に代わる先端部２１１を備えたものであり、第１の挟持片１０ａにおけるその他の構成は、実施形態１の第１の挟持片１０ａにおけるものと同一構成である。
【０１２６】
先端部２１１は、上述したとおり、図１６（ｇ）に示すように、対向面１１ａに凸部１１ｂが形成された構造となっている。凸部１１ｂは、ハゼＨの首部Ｈｎの側面に面接触するように、ハゼＨに取り付けられたときにハゼＨの長手方向に一致する方向に垂直な断面の形状が矩形形状となっている。
【０１２７】
（第２の部品１２０）
図１７は、図１４（ａ）に示す取付器具２００の第２の部品２２０の具体的な構造を説明するための図であり、図１７（ａ）〜図１７（ｅ）はそれぞれ図１４（ａ）に示す第２の部品２２０をＡ方向〜Ｅ方向から見た構造を示し、図１７（ｆ）および図１７（ｇ）はそれぞれ、図１７（ａ）のＦ１７部分およびＧ１７部分を拡大して示す。なお、図１７では、図１４（ａ）に示す第２の部品２２０をＦ方向から見た構造は、Ａ方向から見た構造と対称なものであることから図示していない。
【０１２８】
実施形態２の取付器具２００における第２の部品２２０は、実施形態１の第２の部品１２０における第２の挟持片２０ａに代えて、実施形態１のものとは構造が異なる第２の挟持片２２０ａを備えたものであり、その他の構成は、実施形態１の第２の部品１２０におけるものと同一である。
【０１２９】
ここで、第２の挟持片２２０ａは、実施形態１の第２の挟持片２０ａにおける先端部２１に代わる先端部２２１を備えたものであり、第２の挟持片２２０ａにおけるその他の構成は、実施形態１の第２の挟持片２０ａにおけるものと同一構成である。
【０１３０】
先端部２２１は、上述したとおり、図１７（ｇ）に示すように、対向面２１ａに凸部２１ｂが形成された構造となっている。凸部２１ｂは、ハゼＨの首部Ｈｎの側面に線接触するように、ハゼＨに取り付けられたときにハゼＨの長手方向に一致する方向に垂直な断面の形状が略半円形状となっている。
【０１３１】
実施形態２の取付器具２００では、ハゼＨを挟持する第１の挟持片２１０ａの先端部２１１には断面が矩形形状の凸部１１ｂが形成され、第２の挟持片２２０ａの先端部２２１には断面が略半円形状の凸部２１ｂが形成されているので、第１の挟持片２１０ａの先端部２１１はハゼＨに対して対向面１１ａよりも狭い面積で接触し、第２の挟持片２２０ａの先端部２２１は線接触する。このため、折板屋根Ｒに対するハゼＨの傾きの影響を受けて取付器具２００が折板屋根に対して斜めに固定された場合でも、取付器具２００上にソーラーパネルＳを取り付ける作業の際に、取付器具２００上にソーラーパネルＳが固定されるように固定ボルトＢｆに対して固定ナットＮｆを締め付けたときに取付器具２００に働く力により、斜めになった取付器具２００が簡単に直立の姿勢に近づくように起き上がることとなる。この結果、ハゼＨの傾斜の影響が、取付器具２００に取り付けられるソーラーパネルＳなどに及ぶのを抑制することができる。
【０１３２】
以下、ソーラーパネルＳの固定作業により取付器具２００の傾きが修正される様子を具体的に説明する。
【０１３３】
図１８は、図１３（ａ）に示す取付器具２００を正常なハゼＨに取り付ける場合を示す図であり、図１８（ａ）および図１８（ｂ）はそれぞれ、ハゼＨに対する取付器具２００の取付け前後の状態を示す。
【０１３４】
図１９は、図１３（ａ）に示す取付器具２００を斜めになったハゼＨに取り付ける場合を示す図であり、図１９（ａ）および図１９（ｂ）はそれぞれ、斜めになったハゼＨに対する取付器具２００の取付け前後の状態を示す。
【０１３５】
図１８（ａ）に示すように、ハゼＨが折板屋根Ｒに対して直立している場合は、ハゼＨに取付器具２００を固定したとき、取付器具２００は、図１８（ｂ）に示すように、ハゼＨの直立姿勢を受け継いで折板屋根Ｒに対して直立した姿勢で固定されるが、図１９（ａ）に示すように、ハゼＨが折板屋根Ｒに対して傾いている場合は、ハゼＨに取付器具２００を固定したとき、取付器具２００は、図１９（ｂ）に示すように、ハゼＨの斜めに傾いた姿勢を受け継ぐこととなり、折板屋根Ｒに対して斜めに傾いた状態で固定される。
【０１３６】
しかし、実施形態２の取付器具２００は、第１の挟持片２１０ａ、第２の挟持片２２０ａの先端部２１１、２２１は、ハゼＨに対向する対向面１１ａ、２１ａに、ハゼＨとの接触面積が少なくなるように凸部１１ｂ、２１ｂを形成した構造となっているので、一対の挟持片がハゼＨを強固に挟持していても、ハゼＨに対する取付器具２００の姿勢はそれほど大きな力でなくても変化させることができる。なぜなら、挟持片の先端部２１１、２２１は、ハゼＨの首部Ｈｎの側面に線接触に近い狭い面積で、あるいは線接触で当接しているからである。
【０１３７】
図２０は、斜めになったハゼＨに取り付けられた取付器具２００の傾倒姿勢がソーラーパネルＳを取付器具２００に固定することで直立姿勢に戻る様子を示す図であり、図２０（ａ）〜図２０（ｃ）は、取付器具２００の傾きの変化を示し、図２０（ｄ）〜図２０（ｆ）は、図２０（ａ）のＤ２０部分の拡大図、図２０（ｂ）のＥ２０部分の拡大図、図２０（ｃ）のＦ２０部分の拡大図である。
【０１３８】
図２０（ａ）および図２０（ｂ）に示すように、斜めに傾いて折板屋根Ｒに固定されている取付器具２００上にソーラーパネルＳを配置し、ソーラーパネルＳを固定ボルトＢｆと固定ナットＮｆにより取付器具２００に締め付けると、取付器具２００には、ソーラーパネルＳから折板屋根Ｒの表面に対して直立した姿勢に戻そうとする力が働く。なぜなら、複数の取付器具２００に跨って配置されるソーラーパネルＳは、全体としてはハゼ式折板屋根Ｒの表面に平行に設置されており、ソーラーパネルＳを取付器具２００に固定することで、取付器具２００のパネル載置面もソーラーパネルＳに平行になろうとするからである。この実施形態２の取付器具２００は、このような外力の影響を受けて姿勢が変化しやすい構造となっているため、図２０（ｃ）、（ｆ）に示すように、ハゼＨが斜めに傾いたままで、ハゼＨに固定された取付器具２００の姿勢が斜めに傾いた状態から直立の姿勢に近づくように変化する。
【０１３９】
また、本実施形態２の取付器具２００では、ハゼ掴み部２０１を構成する一方の挟持片（第１の挟持片２１０ａ）の先端部２１１がハゼＨの首部Ｈｎの側面に面接触し、他方の挟持片（第２の挟持片２２０ａ）の先端部２２１がハゼＨの首部Ｈｎの側面に線接触するので、一方の挟持片の先端部２１１が面でハゼＨの首部Ｈｎを受けることとなる。このため、ハゼ掴み部１を構成する一対の挟持片２１０ａ、２２０ａの先端部２１１、２２１の一方と他方との間での多少の位置ズレは吸収することができ、一対の挟持片でハゼＨを確実に挟むことができる。
【０１４０】
なお、実施形態２では、取付器具２００のハゼ掴み部２０１として、一方の挟持片（第１の挟持片２１０ａ）の先端部２１１がハゼＨの首部Ｈｎの側面に面接触し、他方の挟持片（第２の挟持片２２０ａ）の先端部２２１がハゼＨの首部Ｈｎの側面に線接触するものを示したが、取付器具２００のハゼ掴み部２０１を構成する一対の挟持片の先端部の構造は実施形態２のものに限定されるものではない。
【０１４１】
また、実施形態２では、第１の挟持片および第２の挟持片の両方が、先端部のうちの突出部の首部に接触する部分の面積が先端部の突出部の首部に対向する対向面の面積より小さい構造の先端部を有するものであるが、いずれか一方の挟持片のみが、つまり、第１の挟持片あるいは第２の挟持片がこのような構造の先端部を有するものでもよい。
【０１４２】
また、実施形態２では、第１の挟持片１０ａ、第２の挟持片２０ａの先端部１１、２１のハゼＨに接する部分の面積を減らすことで、ハゼＨの姿勢、傾きや曲がりの影響で斜めに固定された取付器具２００の姿勢をソーラーパネルＳの固定により正しい姿勢に戻しやすくしたが、斜めに固定された取付器具３００の影響を低減するその他の改善策について実施形態３で説明する。
【０１４３】
なお、斜めに固定された取付器具３００の影響を低減する改善策は、実施形態２の取付器具２００だけでなく、実施形態１の取付器具１００にも適用可能であるが、以下では、このような改善策を実施形態２の取付器具２００に適用したものを実施形態３として説明する。
【０１４４】
〔実施形態３〕
１．取付器具３００の構造
図２１および図２２は、本発明の実施形態３による取付器具３００を説明するための図である。図２１（ａ）は、取付器具３００の外観を示す斜視図、図２１（ｂ）は、取付器具３００がハゼ式折板屋根Ｒに取り付けられた状態を示す斜視図、図２１（ｃ）は、図２１（ｂ）に示される取付器具３００およびハゼ式折板屋根ＲをＡ方向から見た構造を示す平面図である。図２２（ａ）は、図２１（ａ）に示す取付器具３００を分解して示す斜視図、図２２（ｂ）は、図２１（ｃ）のＢ２２部分の拡大図、図２２（ｃ）は、図２１（ｃ）のＣ２２部分の拡大図である。
【０１４５】
実施形態３の取付器具３００は、実施形態２の取付器具２００のパネル載置部１３とは構造が異なるパネル載置部３１３を有している。このパネル載置部３１３は、被取付部材であるソーラーパネルＳが載置される載置面を凸状に湾曲させた形状（甲丸形状）としたものである。これにより、実施形態３の取付器具３００では、ハゼ式折板屋根ＲのハゼＨの傾きの影響により取付器具３００が斜めに折板屋根Ｒに固定された場合でも、取付器具３００のパネル載置部３１３の載置面とソーラーパネルＳの下面との間にできる隙間を小さく抑えることができ、ソーラーパネルＳや取付器具３００などの性能劣化を低減できる。
【０１４６】
以下、取付器具３００の具体的構成を説明する。
【０１４７】
図２３〜図２４はそれぞれ、取付器具３００、第１の部品３１０の構造を説明するための図である。
【０１４８】
図２３は、図２１（ａ）に示す取付器具３００の具体的な構成を説明するための図であり、図２３（ａ）〜図２３（ｅ）はそれぞれ図２３（ａ）に示す取付器具３００をＡ方向〜Ｅ方向から見た構造を示す平面図である。なお、図２３では、図２２に示す取付器具３００をＦ方向から見た構造は、Ａ方向から見た構造と対称なものであることから図示していない。
【０１４９】
取付器具３００は、実施形態２における第１の部品２１０および第２の部品２２０に代わる第１の部品３１０および第２の部品３２０を有し、第１の部品３１０の挟持片３１０ａの先端部３１１と第２の部品３２０の挟持片３２０ａの先端部３２１とが対向するように、締結ボルトＢｔおよび締結ナットＮｔによりこれらの部品が連結される構造となっている。
【０１５０】
以下、各部品毎にその構造を説明する。
【０１５１】
（第１の部品３１０）
図２４は、図２１（ａ）に示す取付器具３００の第１の部品３１０の具体的な構造を説明するための図である。図２４（ａ）〜図２４（ｅ）はそれぞれ図２２（ａ）に示す第１の部品３１０をＡ方向〜Ｅ方向から見た構造を示し、図２４（ｆ）、図２４（ｇ）はそれぞれ、図２４（ａ）のＦ２４部分、Ｇ２４部分を拡大して示す。なお、図２４では、図２２に示す第１の部品３１０をＦ方向から見た構造は、Ａ方向から見た構造と対称なものであることから図示していない。
【０１５２】
実施形態３の取付器具３００における第１の部品３１０は、実施形態２の第１の部品２１０におけるパネル支持片１０ｂに代えて、実施形態２のものとは構造が異なるパネル支持片３１０ｂを備えたものであり、その他の構成は、実施形態２の第２の部品２１０におけるものと同一である。従って、第１の挟持片３１０ａは実施形態２の第１の挟持片２１０ａと同じ構成を有する。
【０１５３】
ここで、パネル支持片３１０ｂは、実施形態２のパネル支持片２１０ｂにおけるパネル載置部２１３に代わるパネル載置部３１３を備えたものであり、パネル支持片３１０ｂにおけるその他の構成は実施形態２のパネル載置部２１３におけるものと同一構成である。
【０１５４】
このパネル載置部３１３は、図２４（ｆ）に示すように、固定ボルトＢｆを挿入するための固定ボルト穴１３ｃが形成されている中央部分が、両側部に比べて若干の寸法Ｌｈだけ高くなるように円弧状に湾曲した形状（甲丸形状）となっている。この寸法Ｌｈは、パネル載置部３１３の幅Ｌｗに比べて図面で示されるとおり極端に小さい値である。寸法Ｌｈは、数十ミリの幅（例えば、４０〜６０ｍｍ）Ｌｗに対して１ミリ以下（０．６〜０．８ｍｍ）である。具体的な寸法例として、Ｌｈは、０．７ｍｍ、幅Ｌｗは５１ｍｍである。
【０１５５】
以下、甲丸形状を採用することによる効果を説明する。
【０１５６】
固定ボルトＢｆ、固定ナットＮｆなどの締結手段により被取付部材を取付器具に固定する場合、締結手段により被取付部材と取付器具とを締結する位置（締結位置）と、被取付部材と取付器具とが接触する位置（接触位置）との距離が離れているほど、被取付部材、取付器具、締結手段には大きな力がかかるので、締結位置と接触位置とが一致しており、締結ボルトによる締結力が締結ボルトの軸方向にかかるように締結ボルトを定着することが望ましい。
【０１５７】
ところが、取付器具の載置面とその上に載置するソーラーパネルなどの被取付部材の下面とが平行になっていない場合は、締結位置と接触位置との距離が離れることとなり、さらに、締結ボルトによる締結力が締結ボルトの軸方向に斜めに作用することとなる。この場合、被取付部材と取付器具とを固定するための締付力を通常通りの大きなものとすると、これらの部材の破損を招き、その締付力を通常より弱めると、取付強度が不十分となる。
【０１５８】
以下で説明するように、取付器具の載置面の形状を凸状に湾曲した甲丸形状とすることで、接触位置と締付位置とを、甲丸形状を採用しない場合に比べて近づけることができる。甲丸形状は、わずかに凸状の湾曲した形状であり、接触位置と締結位置とを近づけられる距離が１ｍｍとか２ｍｍのレベルであるが、ボルトナットという大きな締結力が発生する位置に接触位置をわずかでも近づけられる効果は大きいものである。
【０１５９】
図２５は、実施形態３の取付器具３００の効果を説明するための図であり、図２５（ａ）〜図２５（ｄ）は、取付器具のパネル載置部での甲丸形状の採用の有無と、折板屋根上での取付器具の傾斜の有無との組み合わせの４つの場合を示している。
【０１６０】
取付器具が折板屋根Ｒに対して直立した姿勢で取り付けられている場合は、甲丸形状を採用したパネル載置部３１３（図２５（ａ））上でも、甲丸形状を採用していないパネル載置部１３（図２５（ｂ））上でも、被取付部材と取付器具とが固定される位置（固定位置）と、被取付部材と取付器具とが接触する位置（接触位置）とが一致している。
【０１６１】
一方、取付器具が折板屋根に対して斜めに取り付けられた場合は、甲丸形状を採用したパネル載置部３１３（図２５（ｃ））上でも、甲丸形状を採用していないパネル載置部３１３（図２５（ｄ））上でも、固定位置と接触位置とがずれる。
【０１６２】
しかし、甲丸形状を採用している取付器具の場合、固定位置と接触位置との距離Ｘ１は、甲丸形状を採用していない取付器具の場合の距離Ｘ０に比べて小さくできる。この距離の差（Ｘ１−Ｘ０）は、図２４（ｆ）に示すように、甲丸形状における寸法Ｌｈに相当するわずかな寸法であるが、このわずかな距離の差が大きな効果を奏する。
【０１６３】
なぜなら、ソーラーパネルＳと取付器具とを固定するための何トンあるいは何百キロといった締付力を発生させるボルトの装着部分では、ボルトの締付力が作用する作用点をその近傍でソーラーパネルＳと取付器具とが当接する位置にわずかでも近づけることで、ソーラーパネルＳおよび取付器具が変形し難くなるからである。つまり長い棒を曲げるのは簡単であるが、短い棒を曲げるのは難しく、短くなればなるほど加速的に曲げにくくなるという原理である。
【０１６４】
このようにパネル載置部３１３の甲丸形状における寸法Ｌｈはパネル載置部３１３の幅Ｌｗに対して約７０分の1とわずかではあるが、このようにパネル載置部３１３の表面を湾曲させることで、パネル載置部３１３上でソーラーパネルＳがパネル載置部３１３に接する位置が固定ボルトＢｆによる固定位置に極わずかではあるが近づくことになり、ソーラーパネルＳ、締結手段、取付器具の変形を抑制できる。
【０１６５】
（第２の部品３２０）
実施形態３の取付器具３００における第２の部品３２０は、実施形態２の取付器具２００における第２の部品２２０と同一の構成を有する。従って、第２の挟持片３２０ａは実施形態２の第２の挟持片２２０ａと同じ構成を有する。
【０１６６】
このような構成の取付器具３００では、第１の部品３１０のパネル載置部３１３の載置面の形状を甲丸形状としているので、取付器具３００がハゼＨの形状や姿勢の影響を受けて折板屋根Ｒに対して斜めに固定された場合でも、パネル載置部３１３上の固定ボルトＢｆの装着部分では、パネル載置部３１３とソーラーパネルＳとは隙間Ｇｐ１を小さく抑えることができ、その結果、固定ボルトＢｆ、取付器具３００やソーラーパネルＳに及ぶ負荷を小さく抑えることができる。
【０１６７】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した文献は、その内容自体が具体的に本明細書に記載されているのと同様にその内容が本明細書に対する参考として援用されるべきであることが理解される。
【産業上の利用可能性】
【０１６８】
本発明は、取付器具の分野において、一対の部品がボルトナットで締結された状態では一対の部品の相対的な位置ズレを阻止することができ、しかも、一対の部品をボルトナットで仮止めした状態からボルトナットを緩めても、一対の部品が対向する姿勢を保持することができる取付器具を実現できるものとして有用である。
【符号の説明】
【０１６９】
１  ハゼ掴み部
１０ａ  第１の挟持片
１０ｂ  パネル支持片
１０ｃ、２０ｃ  基部
１１、２１  先端部
１１ａ、２１ａ  対向面
１１ｂ、２１ｂ  凸部
１１ｃ、２１ｃ  転倒抑止片
１２、２２  先端部支持部
１２ａ、２２ａ  傾斜規制片
１３、  パネル載置部
１３ａ  つば部
１３ｂ  ボルト保持片
１３ｃ  固定ボルト孔
１４  載置部支持部
１５、２５  側壁
１５ａ、２５ａ  締結ボルト孔
１５ｂ  線状突起
２０ｂ  載置部支持片
２３  つば当接部
２４  当接部支持部
１００、２００、３００  取付器具
１１０、２１０、３１０  第１の部品
１２０、２２０、３２０  第２の部品
Ｂｆ  固定ボルト
Ｂｔ  締結ボルト
Ｎｆ  固定ナット
Ｎｔ  締結ナット
Ｒ  ハゼ式折板屋根
Ｓ  ソーラーパネル
Ｓｗ  スプリングワッシャー
Ｗ  平座金
【図１】
2019007310.tif 000003
【図２】
2019007310.tif 000004
【図３】
2019007310.tif 000005
【図３Ａ】
2019007310.tif 000006
【図４】
2019007310.tif 000007
【図５】
2019007310.tif 000008
【図６】
2019007310.tif 000009
【図７】
2019007310.tif 000010
【図８】
2019007310.tif 000011
【図９】
2019007310.tif 000012
【図１０】
2019007310.tif 000013
【図１１】
2019007310.tif 000014
【図１２】
2019007310.tif 000015
【図１３】
2019007310.tif 000016
【図１４】
2019007310.tif 000017
【図１５】
2019007310.tif 000018
【図１６】
2019007310.tif 000019
【図１７】
2019007310.tif 000020
【図１８】
2019007310.tif 000021
【図１９】
2019007310.tif 000022
【図２０】
2019007310.tif 000023
【図２１】
2019007310.tif 000024
【図２２】
2019007310.tif 000025
【図２３】
2019007310.tif 000026
【図２４】
2019007310.tif 000027
【図２５】
2019007310.tif 000028